(57)【要約】【課題】汎用性のあるＬＥＤランプそのものを用いて、発光色の切換と光度の切換とが簡便にでき、しかも安価な自動車用灯具を提供する。【解決手段】ＬＥＤチップ３を光学的に透明な樹脂よりなるケース４で封止されてなる汎用性のある主光軸用ＬＥＤランプ５と、該主光軸ＬＥＤランプ５のＬＥＤチップ３と異なる色を発光するＬＥＤチップ６を光学的に透明な樹脂よりなるケース４で封止されてなる汎用性のある副光軸用ＬＥＤランプ７とを光軸Ｚ方向を同一として重合配置してなる。【選択図】      図２
2004164967.tif 000002
【特許請求の範囲】
【請求項１】
ＬＥＤチップを光学的に透明な樹脂よりなるケースで封止されてなる汎用性のある主光軸用ＬＥＤランプと、該主光軸ＬＥＤランプのＬＥＤチップと異なる色を発光するＬＥＤチップを光学的に透明な樹脂よりなるケースで封止されてなる汎用性のある副光軸用ＬＥＤランプとを光軸方向を同一として重合配置してなることを特徴とする自動車消灯具。
【請求項２】
請求項１に記載の自動車用灯具であって、
前記副光軸ＬＥＤランプのＬＥＤチップを、放物面型反射鏡の焦点位置に配したことを特徴とする自動車用灯具。
【請求項３】
請求項１又は請求項２に記載の自動車用灯具であって、
前記主光軸ＬＥＤランプは、単数よりなり、前記副光軸ＬＥＤランプは、前記主光軸ＬＥＤランプに対して複数に並列させてなり、副光軸ＬＥＤランプは、主光軸ＬＥＤランプの反射鏡側に配してなることを特徴とする自動車用灯具。
【請求項４】
請求項３に記載の自動車用灯具であって、
前記主光軸ＬＥＤランプを白色のＬＥＤチップとし、前記副光軸ＬＥＤランプを赤色のＬＥＤチップ及び橙色のＬＥＤチップとを並列させ、主光軸ＬＥＤランプの反射鏡側に副光軸ＬＥＤランプを配してなることを特徴とする自動車用灯具。
【請求項５】
請求項３に記載の自動車用灯具であって、
前記主光軸ＬＥＤランプを白色のＬＥＤチップとし、前記副光軸ＬＥＤランプを青色のＬＥＤチップを並列させ、主光軸ＬＥＤランプの反射鏡側に副光軸ＬＥＤランプを配してなることを特徴とする自動車用灯具。
【請求項６】
請求項３に記載の自動車用灯具であって、
前記主光軸ＬＥＤランプを白色のＬＥＤチップとし、前記副光軸ＬＥＤランプを赤色のＬＥＤチップを並列させ、主光軸ＬＥＤランプの反射鏡側に副光軸ＬＥＤランプを配してなることを特徴とする自動車用灯具。
【請求項７】
請求項３に記載の自動車用灯具であって、
前記主光軸ＬＥＤランプを白色のＬＥＤチップとし、前記副光軸ＬＥＤランプを緑色、橙色、青色などの白色以外の適宜の色のＬＥＤチップを並列させ、主光軸ＬＥＤランプの反射鏡側に副光軸ＬＥＤランプを配してなることを特徴とする自動車用灯具。
【発明の詳細な説明】
【０００１】
【発明の属する技術分野】
この発明は、ＬＥＤランプを光源とする自動車用灯具に関する。
【０００２】
【従来の技術】
従来のＬＥＤランプを光源とする自動車用灯具は、例えば特許文献１に示すようなものがある。かかる構成によれば、１つのＬＥＤランプ（１）の中心軸上に２つのＬＥＤチップ（２，３）が前後に配置され、前方のＬＥＤチップ（２）は前方に光を放射する構成とされると共に、２つのＬＥＤチップ（２，３）の間には、後方のＬＥＤチップ（３）に対峙するインナー反射鏡（５）が設けられて、透明な樹脂よりなるケース（４）に封止されていることで、ＬＥＤチップ（２，３）の何れかをＯＮすることで、兼用可能な自動車用灯具を提供できる構造が開示されている。
【０００３】
【特許文献１】
特開２０００−３３１５０８号公報
【０００４】
【発明が解決しようとする課題】
しかしながら、かかる自動車用灯具にあっては、１つのケース（４）の中に２つのＬＥＤチップ（２，３）を封止しているので、特殊なＬＥＤランプ（１）となり、原価高騰の一原因になる。
【０００５】
そこで、この発明は、汎用性のあるＬＥＤランプそのものを用いて、発光色の切換と光度の切換とが簡便にでき、しかも安価な自動車用灯具を提供することを目的としている。
【０００６】
【課題を解決するための手段】
前記目的を達成するために、請求項１の発明は、ＬＥＤチップを光学的に透明な樹脂よりなるケースで封止されてなる汎用性のある主光軸用ＬＥＤランプと、該主光軸ＬＥＤランプのＬＥＤチップと異なる色を発光するＬＥＤチップを光学的に透明な樹脂よりなるケースで封止されてなる汎用性のある副光軸用ＬＥＤランプとを光軸方向を同一として重合配置してなる。
【０００７】
請求項１の発明によれば、前記主光軸ＬＥＤランプのみを点灯すれば、副光軸用ＬＥＤランプの発光色を内在したまま主光軸ＬＥＤランプの発光色で投射される。また、副光軸ＬＥＤランプのみを点灯すれば、主光軸ＬＥＤランプの光学的に透明なケースに副光軸ＬＥＤランプの発光色が入り込み、主光軸ＬＥＤランプは副光軸ＬＥＤランプの発光色となって副光軸ＬＥＤランプの発光色で投射される。更に、主光軸ＬＥＤランプ及び副光軸ＬＥＤランプを共に点灯すれば、双方の発光色が混ざった発光色で投射される。この主光軸ＬＥＤランプ及び副光軸ＬＥＤランプは、共に汎用性のあるＬＥＤランプなので、他種類の発光色を投射可能にもかかわらず安価であり、原価を低減できる。
【０００８】
請求項２の発明は、請求項１に記載の自動車用灯具であって、前記副光軸ＬＥＤランプのＬＥＤチップを放物面型反射鏡の焦点位置に配した。
【０００９】
請求項２の発明によれば、副光軸ＬＥＤランプより投射された光が集光して発光色を反射鏡に映し出すことができる。
【００１０】
請求項３の発明は、請求項１又は請求項２に記載の自動車用灯具であって、前記主光軸ＬＥＤランプは、単数よりなり、前記副光軸ＬＥＤランプは、前記主光軸ＬＥＤランプに対して複数に並列させてなり、副光軸ＬＥＤランプは、主光軸ＬＥＤランプの反射鏡側に配してなる。
【００１１】
請求項３の発明によれば、主光軸ＬＥＤランプのみが点灯すると、その灯具は主光軸ＬＥＤランプ用のＬＥＤチップの発光色となる。主光軸ＬＥＤランプのＬＥＤチップが消灯していて、何れかの副光軸ＬＥＤランプのみが点灯すると、その灯具は当該副光軸ＬＥＤランプのＬＥＤチップの発光色が、光学的に透明である主光軸ＬＥＤランプ用のＬＥＤチップのケース内に入り込み、当該ＬＥＤチップの発光色となる。主光軸ＬＥＤランプ及び副光軸ＬＥＤランプの全てを点灯すると、全ての発光色の混ざった色が発光される灯具となる。即ち、主光軸ＬＥＤランプ用のＬＥＤチップのケース及び副光軸ＬＥＤランプのＬＥＤチップのケースが光学的に透明である特性が生きることになる。
【００１２】
請求項４の発明は、請求項３に記載の自動車用灯具であって、前記主光軸ＬＥＤランプを白色のＬＥＤチップとし、前記副光軸ＬＥＤランプを赤色のＬＥＤチップ及び橙色のＬＥＤチップとを並列させ、主光軸ＬＥＤランプの反射鏡側に副光軸ＬＥＤランプを配してなる。
【００１３】
請求項４の発明によれば、主光軸ＬＥＤランプのみが点灯すると、その灯具は白くなり、例えばバックランプが点灯したことになる。主光軸ＬＥＤランプが消灯していて、副光軸ＬＥＤランプの橙色のＬＥＤチップのみが点灯すると、その灯具は橙色になり、例えばテールランプが点灯したことになる。また、主光軸ＬＥＤランプが消灯していて、副光軸ＬＥＤランプの赤色のＬＥＤチップのみが点灯すると、その灯具は赤色になり、例えばストップランプが点灯したことになる。即ち、一つの灯具である時はバックランプ、ある時はテールランプ、そしてある時はストップランプと様々な機能を有する灯具とすることができ、自動車のスペースを多く取らずとも良いという設計自由度の向上が図れることにもなる。
【００１４】
請求項５の発明は、請求項３に記載の自動車用灯具であって、前記主光軸ＬＥＤランプを白色のＬＥＤチップとし、前記副光軸ＬＥＤランプを青色のＬＥＤチップを並列させ、主光軸ＬＥＤランプの反射鏡側に副光軸ＬＥＤランプを配してなる。
【００１５】
請求項５の発明によれば、主光軸ＬＥＤランプのみが点灯すると、その灯具は白くなり、例えば本を読む際の照明手段が点灯したことになる。主光軸ＬＥＤランプが消灯していて、副光軸ＬＥＤランプの青色のＬＥＤチップのみが点灯すると、その灯具は青色になり、例えば終夜点灯の夜間照明手段が点灯したことになる。即ち、一つの灯具である時は読書灯、そしてある時は副交感神経を刺激して沈静化させる夜間照明手段などと様々な機能を有する灯具とすることができ、自動車のスペースを多く取らずとも良いという設計自由度の向上が図れることにもなる。
【００１６】
請求項６の発明は、請求項３に記載の自動車用灯具であって、前記主光軸ＬＥＤランプを白色のＬＥＤチップとし、前記副光軸ＬＥＤランプを赤色のＬＥＤチップを並列させ、主光軸ＬＥＤランプの反射鏡側に副光軸ＬＥＤランプを配してなる。
【００１７】
請求項６の発明によれば、主光軸ＬＥＤランプのみが点灯すると、その灯具は白くなり、例えばルームランプが点灯したことになる。主光軸ＬＥＤランプが消灯していて、副光軸ＬＥＤランプの赤色のＬＥＤチップのみが点灯すると、その灯具は赤色になり、例えば昆虫の誘引を防除すると共に雰囲気を醸し出すルームランプが点灯したことになる。即ち、一つの灯具である時はルームランプ、ある時は虫の誘引を防除すると共に雰囲気を醸し出すルームランプと様々な機能を有する灯具とすることができ、自動車のスペースを多く取らずとも良いという設計自由度の向上が図れることにもなる。
【００１８】
請求項７の発明は、請求項３に記載の自動車用灯具であって、前記主光軸ＬＥＤランプを白色のＬＥＤチップとし、前記副光軸ＬＥＤランプを緑色、橙色、青色などの白色以外の適宜の色のＬＥＤチップを並列させ、主光軸ＬＥＤランプの反射鏡側に副光軸ＬＥＤランプを配してなる。
【００１９】
請求項７の発明によれば、主光軸ＬＥＤランプのみが点灯すると、その灯具は白くなり、例えばルームランプが点灯したことになる。主光軸ＬＥＤランプが消灯していて、副光軸ＬＥＤランプの緑色のＬＥＤチップのみが点灯すると、その灯具は緑色になり、例えば癒し効果のあるルームランプが点灯したことになる。
また、主光軸ＬＥＤランプが消灯していて、副光軸ＬＥＤランプの赤色のＬＥＤチップのみが点灯すると、その灯具は赤色になり、例えばにぎやかで暖かく感じさせるルームランプが点灯したことになる。また、主光軸ＬＥＤランプが消灯していて、副光軸ＬＥＤランプの青色のＬＥＤチップのみが点灯すると、その灯具は青色になり、例えばゆったりと落ち着いた気分にしてくれるルームランプが点灯したことになる。即ち、一つの灯具である時は普通のルームランプ、ある時は癒し雰囲気のルームランプ、そしてある時はにぎやかで暖かい感じをさせるルームランプ、そしてある時にはゆったりと落ち着いた感じをさせるルームランプと様々な機能を有する灯具とすることができ、自動車のスペースを多く取らずとも良いという設計自由度の向上が図れることにもなる。
【００２０】
【発明の実施の形態】
以下、図１乃至図３の図面を参照しながら、この発明の一実施形態について具体的に説明する。
【００２１】
図１において、符号１は、自動車２のための灯具であって、該自動車用灯具１は、発光源としての白色の第１ＬＥＤチップ３を光学的に透明な樹脂よりなるケース４で封止されてなる汎用性のある主光軸用ＬＥＤランプ５と、該主光軸ＬＥＤランプ５の第１ＬＥＤチップ３と異なる色を発光する第２ＬＥＤチップ６を光学的に透明な樹脂よりなるケース４で封止されてなる汎用性のある副光軸用ＬＥＤランプ７とを光軸Ｚ方向を同一として前後（図２の右側が自動車２の前側、左側が自動車２の後側）に重合配置してなる。
【００２２】
前記副光軸ＬＥＤランプ７の第２ＬＥＤチップ６を放物面型反射鏡８の焦点位置に配した。
【００２３】
前記主光軸ＬＥＤランプ５は、単数よりなり、前記副光軸ＬＥＤランプ７は、前記主光軸ＬＥＤランプ５に対して、図３に符号７’、７”で示すように、複数に並列させてなり、副光軸ＬＥＤランプ７は、主光軸ＬＥＤランプ５の反射鏡８側に配してなる。
【００２４】
前記主光軸ＬＥＤランプ５を、前記したように白色の第１ＬＥＤチップ３として、前記副光軸ＬＥＤランプ７の第２ＬＥＤチップ６を、主光軸ＬＥＤランプ５の第１ＬＥＤチップ３と異なる色にしたものであるが、第１の副光軸ＬＥＤランプ７’には、赤色のＬＥＤチップ６’を有し、第２の副光軸ＬＥＤランプ７”には、橙色のＬＥＤチップ６”を有し、第１，第２の副光軸ＬＥＤランプ７’、７”を並列させて、主光軸ＬＥＤランプ５の反射鏡８側に配してなる。
【００２５】
前記したそれぞれの第１ＬＥＤチップ３、第２ＬＥＤチップ６（赤色のＬＥＤチップ６’、橙色のＬＥＤチップ６”）には、図示しない給電端子が接続され、電源側は、それぞれのスイッチに接続され、マイナス側は共通して自動車２のアースに接続されている。
【００２６】
このように構成された自動車用灯具１によれば、図示しないバックランプスイッチをＯＮさせることで、前記主光軸ＬＥＤランプ５のみを点灯させると、副光軸用ＬＥＤランプ７の発光色を内在したまま主光軸ＬＥＤランプ５の発光色である白色に灯具１から投射される。該バックランプスイッチは、トランスミッションをリバースポジションにすることによりＯＮになり、それ以外のポジションにすることによりＯＦＦになる。
【００２７】
また、図示しないブレーキランプスイッチをＯＮさせると、副光軸ＬＥＤランプ７’の赤色のＬＥＤチップ６’の発光色である赤色が、主光軸ＬＥＤランプ５の光学的に透明なケース４に入り込み、主光軸ＬＥＤランプ５は、副光軸ＬＥＤランプ７’の発光である赤色となって投射される。ブレーキランプスイッチは、フットブレーキペダルを踏み込むことでＯＮになり、該フットブレーキペダルから足を離すことでＯＦＦになる。
【００２８】
また、図示しないライティングランプスイッチをＯＮさせると、副光軸ＬＥＤランプ７”の橙色のＬＥＤチップ６”の発光色である橙色が、主光軸ＬＥＤランプ５の光学的に透明なケース４に入り込み、主光軸ＬＥＤランプ５は、副光軸ＬＥＤランプ７”の発光である橙色となって投射される。ライティングランプスイッチは、コラムカバー周囲に配されたスイッチである。
【００２９】
更に、主光軸ＬＥＤランプ５及び副光軸ＬＥＤランプ７（７’、７”）を共に点灯すれば、双方の発光色が混ざった発光色で投射される。この主光軸ＬＥＤランプ５及び副光軸ＬＥＤランプ７（７’、７”）は、共に汎用性のあるＬＥＤランプなので、前記した赤色及び橙色の他の種類の発光色を投射可能にもかかわらず安価であり、原価を低減できる。即ち、主光軸ＬＥＤランプ５用のＬＥＤチップ３のケース４及び副光軸ＬＥＤランプ７のＬＥＤチップ６のケース４が共に光学的に透明である特性が生きることになる。
【００３０】
前記副光軸ＬＥＤランプ７のＬＥＤチップ６を放物面型反射鏡８の焦点位置に配したことにより、副光軸ＬＥＤランプ７より投射された光が集光して発光色を反射鏡８に映し出すことができる。
【００３１】
即ち、一つの灯具１であるのに、ある時はバックランプ、ある時はテールランプ、そしてある時はストップランプと様々な機能を有する灯具とすることができ、自動車２のスペースを多く取らずとも良いという設計自由度の向上が図れることにもなる。
【００３２】
前記副光軸ＬＥＤランプ７のＬＥＤチップ６が青色であると、発光色が同じ青色になるが、主光軸ＬＥＤランプ５のみが点灯すると、その灯具は白くなり、例えば本を読む際の照明手段が点灯したことになる。主光軸ＬＥＤランプ５が消灯していて、副光軸ＬＥＤランプ７の青色のＬＥＤチップ６のみが点灯すると、その灯具は青色になり、例えば終夜点灯の夜間照明手段が点灯したことになる。即ち、一つの灯具である時は読書灯、そしてある時は副交感神経を刺激して沈静化させる夜間照明手段などと様々な機能を有する灯具とすることができ、自動車のスペースを多く取らずとも良いという設計自由度の向上が図れることにもなる。
従って、夜行長距離バスなどにおいて、多くの乗員が就寝する時間帯でも、安全上などの要求で照明を点けっぱなしにするのが一般であり、かかる時に、青色の照明手段とすることで、点灯しているにもかかわらず、自律神経を緩和させて、睡眠に導きやすくするのに有用である。
【００３３】
また、前記副光軸ＬＥＤランプ７のＬＥＤチップ６が赤色であると、発光色が同じ赤色になるが、主光軸ＬＥＤランプ５のみが点灯すると、その灯具は白くなり、例えば本を読む際の照明手段が点灯したことになる。主光軸ＬＥＤランプ５が消灯していて、副光軸ＬＥＤランプ７の赤色のＬＥＤチップ６のみが点灯すると、その灯具は赤色になり、例えば昆虫の誘引を防除すると共に雰囲気を醸し出すルームランプが点灯したことになる。即ち、一つの灯具である時は読書灯、そしてある時は昆虫の誘引を防除すると共に雰囲気を醸し出すルームランプと様々な機能を有する灯具とすることができ、自動車のスペースを多く取らずとも良いという設計自由度の向上が図れることにもなる。従って、３６０ｎｍをピークとしておよそ３００〜５００ｎｍという短波長の光に反応して集まる習性を有する昆虫に対して、６００ｎｍ程度の波長である赤色光ならば大幅に昆虫の集光を減らすことができ、防虫ネットなど本格的なキャンピング仕様を装備していない自動車でも、安心して窓を開けられる等快適に過ごすことができる。
【００３４】
更に、前記副光軸ＬＥＤランプ７のＬＥＤチップ６が緑色、橙色、青色などの白色以外の適宜の色であると、発光色が同じ色になるが、主光軸ＬＥＤランプのみが点灯すると、その灯具は白くなり、例えばサロンバス等における豪華なシャンデリア風の照明におけるゴージャスな雰囲気を醸し出すルームランプが点灯したことになる。主光軸ＬＥＤランプが消灯していて、副光軸ＬＥＤランプのさまざまな発光色のＬＥＤチップのみがり換え点灯すると、車室内の雰囲気を演出することができる。例えば癒し効果のあるといわれる緑色光、にぎやかで暖かい雰囲気を与えると言われる赤色光或いは橙色光、ゆったりと落ち着いた気分にしてくれるといわれる青色光などを選択できる。また、歌唱の際やダンスの際などこれら複数の発光色を短時間に切り換えることで、盛り上げる演出に使用することができる。即ち、一つの灯具である時は普通のルームランプ、ある時は癒し雰囲気のルームランプ、そしてある時はにぎやかで暖かい感じをさせるルームランプ、そしてある時にはゆったりと落ち着いた感じをさせるルームランプと様々な機能を有する灯具とすることができ、自動車のスペースを多く取らずとも良いという設計自由度の向上が図れることにもなる。
【００３５】
【発明の効果】
請求項１の発明によれば、前記主光軸ＬＥＤランプのみを点灯すれば、副光軸用ＬＥＤランプの発光色を内在したまま主光軸ＬＥＤランプの発光色で投射される。また、副光軸ＬＥＤランプのみを点灯すれば、主光軸ＬＥＤランプの光学的に透明なケースに副光軸ＬＥＤランプの発光色が入り込み、主光軸ＬＥＤランプは副光軸ＬＥＤランプの発光色となって副光軸ＬＥＤランプの発光色で投射される。更に、主光軸ＬＥＤランプ及び副光軸ＬＥＤランプを共に点灯すれば、双方の発光色が混ざった発光色で投射される。この主光軸ＬＥＤランプ及び副光軸ＬＥＤランプは、共に汎用性のあるＬＥＤランプなので、他種類の発光色を投射可能にもかかわらず安価であり、原価を低減できる。
【００３６】
請求項２の発明によれば、副光軸ＬＥＤランプより投射された光が集光して発光色を反射鏡に映し出すことができる。
【００３７】
請求項３の発明によれば、主光軸ＬＥＤランプのみが点灯すると、その灯具は主光軸ＬＥＤランプ用のＬＥＤチップの発光色となる。主光軸ＬＥＤランプのＬＥＤチップが消灯していて、何れかの副光軸ＬＥＤランプのみが点灯すると、その灯具は当該副光軸ＬＥＤランプのＬＥＤチップの発光色が、光学的に透明である主光軸ＬＥＤランプ用のＬＥＤチップのケース内に入り込み、当該ＬＥＤチップの発光色となる。主光軸ＬＥＤランプ及び副光軸ＬＥＤランプの全てを点灯すると、全ての発光色の混ざった色が発光される灯具となる。即ち、主光軸ＬＥＤランプ用のＬＥＤチップのケース及び副光軸ＬＥＤランプのＬＥＤチップのケースが光学的に透明である特性が生きることになる。
【００３８】
請求項４の発明によれば、主光軸ＬＥＤランプのみが点灯すると、その灯具は白くなり、例えばバックランプが点灯したことになる。主光軸ＬＥＤランプが消灯していて、副光軸ＬＥＤランプの橙色のＬＥＤチップのみが点灯すると、その灯具は橙色になり、例えばテールランプが点灯したことになる。また、主光軸ＬＥＤランプが消灯していて、副光軸ＬＥＤランプの赤色のＬＥＤチップのみが点灯すると、その灯具は赤色になり、例えばストップランプが点灯したことになる。即ち、一つの灯具である時はバックランプ、ある時はテールランプ、そしてある時はストップランプと様々な機能を有する灯具とすることができ、自動車のスペースを多く取らずとも良いという設計自由度の向上が図れることにもなる。
【００３９】
請求項５の発明によれば、主光軸ＬＥＤランプのみが点灯すると、その灯具は白くなり、例えば本を読む際の照明手段が点灯したことになる。主光軸ＬＥＤランプが消灯していて、副光軸ＬＥＤランプの青色のＬＥＤチップのみが点灯すると、その灯具は青色になり、例えば終夜点灯の夜間照明手段が点灯したことになる。即ち、一つの灯具である時は読書灯、そしてある時は副交感神経を刺激して沈静化させる夜間照明手段などと様々な機能を有する灯具とすることができ、自動車のスペースを多く取らずとも良いという設計自由度の向上が図れることにもなる。
【００４０】
請求項６の発明によれば、主光軸ＬＥＤランプのみが点灯すると、その灯具は白くなり、例えばルームランプが点灯したことになる。主光軸ＬＥＤランプが消灯していて、副光軸ＬＥＤランプの赤色のＬＥＤチップのみが点灯すると、その灯具は赤色になり、例えば昆虫の誘引を防除すると共に雰囲気を醸し出すルームランプが点灯したことになる。即ち、一つの灯具である時はルームランプ、ある時は虫の誘引を防除すると共に雰囲気を醸し出すルームランプと様々な機能を有する灯具とすることができ、自動車のスペースを多く取らずとも良いという設計自由度の向上が図れることにもなる。
【００４１】
請求項７の発明によれば、主光軸ＬＥＤランプのみが点灯すると、その灯具は白くなり、例えばルームランプが点灯したことになる。主光軸ＬＥＤランプが消灯していて、副光軸ＬＥＤランプの緑色のＬＥＤチップのみが点灯すると、その灯具は緑色になり、例えば癒し効果のあるルームランプが点灯したことになる。
また、主光軸ＬＥＤランプが消灯していて、副光軸ＬＥＤランプの赤色のＬＥＤチップのみが点灯すると、その灯具は赤色になり、例えばにぎやかで暖かく感じさせるルームランプが点灯したことになる。また、主光軸ＬＥＤランプが消灯していて、副光軸ＬＥＤランプの青色のＬＥＤチップのみが点灯すると、その灯具は青色になり、例えばゆったりと落ち着いた気分にしてくれるルームランプが点灯したことになる。即ち、一つの灯具である時は普通のルームランプ、ある時は癒し雰囲気のルームランプ、そしてある時はにぎやかで暖かい感じをさせるルームランプ、そしてある時にはゆったりと落ち着いた感じをさせるルームランプと様々な機能を有する灯具とすることができ、自動車のスペースを多く取らずとも良いという設計自由度の向上が図れることにもなる。
【図面の簡単な説明】
【図１】この発明にかかる灯具を備えた自動車の後斜め斜視図。
【図２】図１の要部の断面図。
【図３】図２の矢視ＤＡに係る正面図。
【符号の説明】
１  自動車用灯具
２  自動車
３  第１ＬＥＤチップ
４  ケース
５  主光軸用ＬＥＤランプ
６（６’、６”）  第２ＬＥＤチップ
７（７’、７”）  副光軸用ＬＥＤランプ
８  放物面型反射鏡
Ｚ  光軸
【図１】
2004164967.tif 000003
【図２】
2004164967.tif 000004
【図３】
2004164967.tif 000005